(57)【特許請求の範囲】
【請求項１】
端子板と、前記端子板に実装されるコネクタと、前記コネクタに接続する同軸ケーブルと、前記コネクタと連結し、かつ、前記同軸ケーブルが挿通するインナースリーブと、前記端子板に固定され、かつ、前記インナースリーブが挿通するアウタースリーブと、前記アウタースリーブに固定される回転防止キーとから構成され、
前記回転防止キーに前記インナースリーブの周面に形成された回転防止溝をはめ、
前記回転防止キーは、前記アウタースリーブに固定される一対の突起と、前記両突起を連結するキー部とから断面コ字形状に構成され、前記キー部が前記インナースリーブの回転防止溝にはまり、
前記インナースリーブを前記端子板に形成された穴に対して前後に摺動可能に挿入し、
前記インナースリーブが前記端子板の前面に引き出された位置では、前記回転防止キーが前記インナースリーブの回転防止溝の幅広部に位置することによって、前記インナースリーブを回転させて前記端子板に対して摺動不可能にすることを特徴とするコネクタ実装端子板構造。
【請求項２】
前記インナースリーブが一対の半円筒を組み合わせて構成されることを特徴とする請求項１記載のコネクタ実装端子板構造。
【請求項３】
前記コネクタを前記インナースリーブとキャップとにより挟持し、ナットによって締め付けることを特徴とする請求項１記載のコネクタ実装端子板構造。
【請求項４】
前記インナースリーブが前記端子板の前面から押し込まれた位置では、前記回転防止キーが前記インナースリーブの回転防止の溝の幅狭部に位置することによって、前記インナースリーブの摺動を防止することを特徴とする請求項１記載のコネクタ実装端子板構造。
【請求項５】
前記インナースリーブの一端にフランジ部が形成され、前記フランジ部にリングが支承され、前記インナースリーブが前記端子板の前面に引き出されたとき、前記リングが前記アウタースリーブの一端に当接することを特徴とする請求項１記載のコネクタ実装端子板構造。
【発明の詳細な説明】
【０００１】
【発明の属する技術分野】
本発明は、多数のＢＮＣ（ｂａｙｏｎｅｔ  Ｎｅｉｌ−Ｃｏｎｃｅｌｍａｎ．ｃｏｎｎｅｃｔｏｒ）コネクタ等のコネクタが実装される端子板の構造に関する。
【０００２】
【従来の技術】
端子板を使用してＢＮＣコネクタを中継する通信装置は、図３に示されるように、自在に挿入抜去が可能な両回線部パッケージ２１ａ，２１ｂと、両回線部パッケージ２１ａ，２１ｂが実装されるバックパネル２２と、本通信装置と他の通信装置との間を接続する多数のＢＮＣコネクタ２３と、本通信装置内の多数のケーブル（図示せず）を中継する端子板２４とを有する。両回線部パッケージ２１ａ，２１ｂの間の回路は、バックパネル２２に取り付けられた基板接続用コネクタ２５によって接続される。
【０００３】
本通信装置と他の通信装置との接続は、回線部パッケージ２１ｂから端子板２４に前記ケーブルを接続し、本通信装置と他の通信装置との間を接続する多数のケーブル２６を端子板２４から本通信装置外に引き出すことによって行われる。本通信装置内の多数のケーブルは、回線部パッケージ２１ｂに実装された多数の回線部コネクタ２７に接続され、本通信装置の背面に設置されたケーブルサポート２８を通って本通信装置の側部に集約された後に上方に引き回され、多数のコネクタを介して端子板２４に接続される。端子板２４には、多数のケーブル２６のＢＮＣコネクタ２３が接続され、多数のケーブル２６は、本通信装置上面のケーブル収容口から外部に引き出され、他の通信装置に接続される。
【０００４】
【発明が解決しようとする課題】
前記従来の技術では、端子板２４の面積は、本通信装置のサイズによる制限を受ける。本通信装置内に収容される回線の数が多い場合には、端子板２４に実装されるＢＮＣコネクタ２３の数が多くなるので、端子板２４に全てのＢＮＣコネクタ２３を実装するために必要な面積を確保できなくなるという問題が生じる。
【０００５】
この問題を解決する一方法としては、ＢＮＣコネクタ２３の実装ピッチを小さくすることによって、同じ面積の端子板に多くのＢＮＣコネクタ２３を実装するという方法が想到される。しかし、この方法には、ＢＮＣコネクタ２３を端子板２４に対して着脱する際に、隣接するＢＮＣコネクタ２３に作業者の手指が触れるため、着脱作業が困難になるという欠点が伴う。
【０００６】
着脱の作業性を勘案すると、ＢＮＣコネクタ２３の実装ピッチは着脱作業が困難にならない程度のサイズを必要とする。したがって、端子板２４の面積が制限される場合には、実装されるＢＮＣコネクタ２３の数を減少しなければならないので、本通信装置と他の通信装置との接続条件を満足することができなくなる。
【０００７】
そこで、本発明は、前記従来の技術の欠点を改良し、ＢＮＣコネクタの実装ピッチを小さくすることにより端子板の面積を縮小することができ、しかも、ＢＮＣコネクタを端子板に対して簡単容易に着脱することができるＢＮＣコネクタ実装端子板構造を提供しようとするものである。
【０００８】
【課題を解決するための手段】
本発明は、前記課題を解決するため、次の手段を採用する。
【０００９】
１．端子板と、前記端子板に実装されるコネクタと、前記コネクタに接続する同軸ケーブルと、前記コネクタと連結し、かつ、前記同軸ケーブルが挿通するインナースリーブと、前記端子板に固定され、かつ、前記インナースリーブが挿通するアウタースリーブと、前記アウタースリーブに固定される回転防止キーとから構成され、前記回転防止キーに前記インナースリーブの周面に形成された回転防止溝をはめ、前記回転防止キーは、前記アウタースリーブに固定される一対の突起と、前記両突起を連結するキー部とから断面コ字形状に構成され、前記キー部が前記インナースリーブの回転防止溝にはまり、前記インナースリーブを前記端子板に形成された穴に対して前後に摺動可能に挿入し、前記インナースリーブが前記端子板の前面に引き出された位置では、前記回転防止キーが前記インナースリーブの回転防止溝の幅広部に位置することによって、前記インナースリーブを回転させて前記端子板に対して摺動不可能にするコネクタ実装端子板構造。
【００１０】
２．前記インナースリーブが一対の半円筒を組み合わせて構成される前記１記載のコネクタ実装端子板構造。
【００１２】
３．前記コネクタを前記インナースリーブとキャップとにより挟持し、ナットによって締め付ける前記１記載のコネクタ実装端子板構造。
【００１３】
４．前記インナースリーブが前記端子板の前面から押し込まれた位置では、前記回転防止キーが前記インナースリーブの回転防止の溝の幅狭部に位置することによって、前記インナースリーブの摺動を防止する前記１記載のコネクタ実装端子板構造。
【００１４】
５．前記インナースリーブの一端にフランジ部が形成され、前記フランジ部にリングが支承され、前記インナースリーブが前記端子板の前面に引き出されたとき、前記リングが前記アウタースリーブの一端に当接する前記１記載のコネクタ実装端子板構造。
【００１５】
【発明の実施の形態】
本発明の一実施の形態例のＢＮＣコネクタ実装端子板構造について図１と図２を参照して説明する。
【００１６】
ＢＮＣコネクタ実装端子板構造は、端子板１と、ＢＮＣコネクタ２と、ＢＮＣコネクタ２と回線部パッケージ（図示せず）とを接続するケーブル３と、ケーブル３を包囲する一対の半円筒形状のインナースリーブ４ａ，４ｂと、端子板１の円形穴１ａに取り付けられる円筒形状のアウタースリーブ５と、両インナースリーブ４ａ，４ｂにそれぞれはまるリング６及びキャップ７と、ＢＮＣコネクタ２にはまるナット８と、アウタースリーブ５に取り付けられる一対の回転防止キー９ａ，９ｂと、キャップ７をインナースリーブ４ａ，４ｂに固定するための固定ピン１０ａ，１０ｂとから構成される。なお、アウタースリーブ５、リング６、キャップ７及びナット８は、金属から製造される。
【００１７】
アウタースリーブ５は、各回転防止キー９ａ，９ｂの各取付穴５ａ，５ｂを周面に有する。各回転防止キー９ａ，９ｂは、断面コ字形状に金属から製造され、両端の各突起９ａ１，９ａ２，９ｂ１，９ｂ２がアウタースリーブ５の各取付穴５ａ１，５ａ２，５ｂ１，５ｂ２に挿入されることにより、アウタースリーブ５に固定される。
【００１８】
各回転防止キー９ａ，９ｂの各突起９ａ１，９ａ２，９ｂ１，９ｂ２を連結する各キー部９ａ３，９ｂ３は、後述する各インナースリーブ４ａ，４ｂの各回転防止溝４ａ１，４ｂ１にはまる。
【００１９】
各インナースリーブ４ａ，４ｂは、樹脂から成型され、周面に回転防止溝４ａ１，４ｂ１、一端に面取り部４ａ２，４ｂ２、他端にフランジ部４ａ３，４ｂ３及びリング６を固定するための突起４ａ４，４ｂ４をそれぞれ有する。各回転防止溝４ａ１，４ｂ１は、各インナースリーブ４ａ，４ｂの軸線方向に各面取り部４ａ２，４ｂ２から各フランジ部４ａ３，４ｂ３の近傍までの間に形成される。各回転防止溝４ａ１，４ｂ１は、その中間位置では向かい合った円弧形状の幅狭部４ａ５，４ｂ５に形成され、各フランジ部４ａ３，４ｂ３の近傍では両側に幅が広がる幅広部４ａ６，４ｂ６に形成される（理由は後述する。）。
【００２０】
ＢＮＣコネクタ実装端子板構造の組立について説明する。まず、各回転防止キー９ａ，９ｂをアウタースリーブ５の各取付穴５ａ１，５ａ２，５ｂ１，５ｂ２に内側からはめ、かしめによって固定した後、アウタースリーブ５を端子板１の円形穴１ａに挿入し、かしめによって固定する。
【００２１】
次に、ケーブル３を両インナースリーブ４ａ，４ｂによって挟持し、リング６を両インナースリーブ４ａ，４ｂに両面取り部４ａ２，４ｂ２からはめ込む。両インナースリーブ４ａ，４ｂの両フランジ部４ａ３，４ｂ３の外径はリング６の内径よりも大きいため、リング６は両フランジ部４ａ３，４ｂ３に当接する。この当接した位置で、リング６は、両突起４ａ４，４ｂ４によって両インナースリーブ４ａ，４ｂに固定され、両フランジ部４ａ３，４ｂ３を摩耗から保護する。
【００２２】
続いて、両インナースリーブ４ａ，４ｂを両面取り部４ａ２，４ｂ２からアウタースリーブ５に挿入する。両インナースリーブ４ａ，４ｂは、両回転防止溝４ａ１，４ｂ１と両回転防止キー９ａ，９ｂとがはまる角度位置で、アウタースリーブ５に挿入されることができる。この角度位置では、両インナースリーブ４ａ，４ｂは、回転を防止される。両回転防止記キー９ａ，９ｂが両インナースリーブ４ａ，４ｂの幅広部４ａ６，４ｂ６に位置する場合には、両インナースリーブ４ａ，４ｂを回転させることができ、かつ、回転させた状態では、両インナースリーブ４ａ，４ｂを摺動させることができない。
【００２３】
アウタースリーブ５に挿入された両インナースリーブ４ａ，４ｂの両面取り部４ａ２，４ｂ２にキャップ７をはめる。キャップ７の周面の両取付穴７ａ，７ｂに両固定ピン１０ａ，１０ｂを挿入して、キャップ７を両インナースリーブ４ａ，４ｂに固定し、キャップ７と両インナースリーブ４ａ，４ｂとによってＢＮＣコネクタ２を挟持する。したがって、ＢＮＣコネクタ２と両インナースリーブ４ａ，４ｂとが、連結した状態でアウタースリーブ５の中で摺動することができる。両インナースリーブ４ａ，４ｂに固定されたリング６の外径は、アウタースリーブ５の内径よりも大きいため、両インナースリーブ４ａ，４ｂを、図２（ａ）の右側の位置から左側の位置まで、すなわち、リング６がアウタースリーブ５に当接する位置まで引き出すことができる。このとき、両回転防止キー９ａ，９ｂは、両回転防止溝４ａ１，４ｂ１の両幅広部４ａ６，４ｂ６に位置するため、両インナースリーブ４ａ，４ｂを回転させることができる。両インナースリーブ４ａ，４ｂを両幅広部４ａ６，４ｂ６の一端側から両幅広部４ａ６，４ｂ６のテーパー形状の傾斜部４ａ７，４ｂ７の頂点４ａ８，４ｂ８を通過して他端側まで回転させると、それ以上の両インナースリーブ４ａ，４ｂの回転が防止される。
【００２４】
また、キャップ７の外径はアウタースリーブ５の内径よりも大きいため、両インナースリーブ４ａ，４ｂを、図２（ａ）の左側の位置から右側の位置まで、すなわち、キャップ７がアウタースリーブ５に当接する位置まで、端子板１の円形穴１ａに押し込むことができる。両インナースリーブ４ａ，４ｂが押し込まれた位置では、両回転防止キー９ａ，９ｂは、両回転防止溝４ａ１，４ｂ１の向かい合った円弧形状の両幅狭部４ａ５，４ｂ５に接触する。このとき、両回転防止キー９ａ，９ｂは、両幅狭部４ａ５，４ｂ５を両側に押し広げ、このとき生じる摩擦抵抗（僅かな力）によって両インナースリーブ４ａ，４ｂの摺動を防止する。
【００２５】
更に、ＢＮＣコネクタ２をキャップ７に対してナット８によって締め付けると、ＢＮＣコネクタ２の回転は防止される。両回転防止キー９ａ，９ｂが両インナースリーブ４ａ，４ｂの両回転防止溝４ａ１，４ｂ１にはまることによって、両インナースリーブ４ａ，４ｂはアウタースリーブ５の内部での回転を防止され、また、ナット８によって、ＢＮＣコネクタ２は両インナースリーブ４ａ，４ｂの内部での回転を防止される。このような構造により、ＢＮＣコネクタ２の端子板１に対する着脱作業の過程では、ケーブル３に捩り応力が作用しない。ＢＮＣコネクタ２に接続するケーブル３の長さには、余裕を持たせることにより、両インナースリーブ４ａ，４ｂを摺動させる際にケーブル３に張力が生じないように図る。この結果、ＢＮＣコネクタ２に連結する両インナースリーブ４ａ，４ｂをアウタースリーブ５内で摺動させることができる。したがって、多数のＢＮＣコネクタ２が狭ピッチで実装された端子板１においても、着脱作業の対象となるＢＮＣコネクタ２のみを端子板１から引き出し、回転と固定を行うことにより、このＢＮＣコネクタ２及び関連部品並びに作業者の手指が隣接するＢＮＣコネクタ２に接触することなく、着脱作業を行うことができる。
【００２６】
ＢＮＣコネクタ２の端子板１に対する着脱作業の手順について図２を参照して説明する。
【００２７】
着脱作業の対象となるＢＮＣコネクタ２を選択し、ＢＮＣコネクタ２に連結されているキャップ７を保持して、両インナースリーブ４ａ，４ｂを端子板１の操作面（前面）に対して手前に引き出す。両インナースリーブ４ａ，４ｂの各回転防止溝４ａ１，４ｂ１とアウタースリーブ５の各回転防止キー９ａ，９ｂとがはまっているため、両インナースリーブ４ａ，４ｂをアウタースリーブ５の中で回転することなく、図２（ａ）における右側の位置から左側の位置まで引き出すことができる。
【００２８】
リング６がアウタースリーブ５の一端と当接する位置まで、両インナースリーブ４ａ，４ｂを端子板１から引き出すことができる。このとき、両回転防止キー９ａ，９ｂの両キー部９ａ３，９ｂ３は両回転防止溝４ａ１，４ｂ１の幅広部４ａ６，４ｂ６に位置するので、両インナースリーブ４ａ，４ｂを回転させることによって前後に摺動しないように固定することができる。
【００２９】
両インナースリーブ４ａ，４ｂは、ＢＮＣコネクタ２の着脱作業に応じて回転して固定される。すなわち、ＢＮＣコネクタ２を端子板１に装着する際には、ＢＮＣコネクタ２は右方向に回転し、ＢＮＣ２を端子板１から離脱する際には、ＢＮＣコネクタ２は左方向に回転する。これによって、ＢＮＣコネクタ２の端子板１に対する着脱作業の過程で、両インナースリーブ４ａ，４ｂは、回転して端子板１に押し込まれることを防止される。
【００３０】
両インナースリーブ４ａ，４ｂを固定した後、ＢＮＣコネクタ２の端子板１に対する着脱作業を行う。対象となるＢＮＣコネクタ２が隣接するＢＮＣコネクタ２よりも手前に引き出されているため、着脱作業を容易に行うことができる。着脱作業の修了後、両回転防止キー９ａ，９ｂの両キー部９ａ３，９ｂ３が両回転防止溝４ａ１，４ｂ１の両幅広部４ａ６，４ｂ６の中心に位置するまで、両インナースリーブ４ａ，４ｂを回転させた後に、両インナースリーブ４ａ，４ｂを押し込む。このとき、両回転防止溝４ａ１，４ｂ１の両幅広部４ａ６，４ｂ６は、頂点４ａ８，４ｂ８の両側にテーパー形状の傾斜部４ａ７，４ｂ７を有するため、両インナースリーブ４ａ，４ｂを回転させて端子板１に押し込む際に、両回転防止キー９ａ，９ｂの両キー部９ａ３，９ｂ３は、両インナースリーブ４ａ，４ｂを中心として案内する機能を営む。
【００３１】
両インナースリーブ４ａ，４ｂが端子板１に押し込まれた状態では、両回転防止キー９ａ，９ｂの両キー部９ａ３，９ｂ３は、両回転防止溝４ａ１，４ｂ１の両幅狭部４ａ５，４ｂ５に位置するので、両キー部９ａ３，９ｂ３と両幅狭部４ａ５，４ｂ５との接触による摩擦抵抗（僅かな力）によって、両インナースリーブ４ａ，４ｂは、端子板１から引き出されることを防止される。
【００３２】
なお、ＢＮＣコネクタ２は、他のＢＮＣコネクタ１１に接続される。
【００３３】
【発明の効果】
以上の説明から明らかなように、本発明によれば、次の効果が奏される。
【００３４】
１．端子板に実装された多数のＢＮＣコネクタが個々に端子板に対して摺動可能であるので、着脱作業の対象となるＢＮＣコネクタのみを端子板から引き出した位置で摺動不可能に固定することができる。したがって、ＢＮＣコネクタを端子板に実装するときに、ピッチを狭くできるため、必要な面積を縮小することができる。また、ＢＮＣコネクタを端子板に対して簡単容易に着脱することができる。
【００３５】
２．インナースリーブは一対の半円筒を組み合わせて構成されるので、製造が容易である。
【００３６】
３．インナースリーブの回転防止は、インナースリーブに形成された回転防止溝とアウタースリーブに固定された回転防止キーとから構成される簡便な構造で行われる。
【００３７】
４．ＢＮＣコネクタをインナースリーブとキャップとにより挟持し、ナツトによつて締め付けるので、ＢＮＣコネクタの固定構造が簡単である。
【００３８】
５．インナースリーブが端子板の前面から押し込まれた位置では、回転防止キーがインナースリーブの回転防止溝の幅狭部に位置することによって、インナースリーブが摺動するとき摩擦抵抗が生じるため、インナースリーブの無用の摺動が防止される。
【００３９】
６．インナースリーブが端子板の前面に引き出されたとき、インナースリーブの一端に形成されたフランジ部に支承されたリングが、アウタースリーブの一端に当接するので、インナーリングのフランジ部の摩耗が減少する。
【図面の簡単な説明】
【図１】本発明の一実施の形態例のＢＮＣコネクタ実装端子板構造の分解斜視図である。
【図２】同ＢＮＣコネクタ実装端子板構造の断面図であり、（ａ）は全体の断面図、（ｂ）は一部が破断して示される断面図を、それぞれ示す。
【図３】従来のＢＮＣコネクタ実装端子板構造が施された通信装置であり、（ａ）は側面図、（ｂ）は背面図を、それぞれ示す。
【符号の説明】
１    端子板
１ａ    円形穴
２    ＢＮＣコネクタ
３    ケーブル
４ａ，４ｂ    インナースリーブ
４ａ１，４ｂ１    回転防止溝
４ａ２，４ｂ２    面取り部
４ａ３，４ｂ３    フランジ部
４ａ４，４ｂ４    突起
４ａ５，４ｂ５    幅狭部
４ａ６，４ｂ６    幅広部
４ａ７，４ｂ７    傾斜部
４ａ８，４ｂ８    頂点
５    アウタースリーブ
５ａ１，５ａ２，５ｂ１，５ｂ２    取付穴
６    リング
７    キャップ
７ａ，７ｂ    取付穴
８    ナット
９ａ，９ｂ    回転防止キー
９ａ１，９ａ２，９ｂ１，９ｂ２    突起
９ａ３，９ｂ３    キー部
１０ａ，１０ｂ    固定ピン
【図１】
0003827595.tif 000002
【図２】
0003827595.tif 000003
【図３】
0003827595.tif 000004